(57)【要約】  通気植木鉢は、水受け皿と、植木鉢本体と、底板とを備える。前記水受け皿は、水を溜めるための収容槽を含み、前記植木鉢本体内に土壌を収容し、前記植木鉢本体には、積層された複数の中空サブユニットが設置され、各層の中空サブユニット内の土壌が通気可能であり、前記底板は、微孔性吸水材料からなり、かつ前記底板は、透水板と、前記透水板から下向きに延出する吸水柱とを含み、前記土壌は、前記透水板に接触し、かつ前記吸水柱は、前記収容槽内に延びる。透水板が透水するため、上から注がれた余剰な水分が透水板を通って水受け皿内に流れ込んで、根部の浸水を防止し、また、吸水柱が水受け皿内に入り込むことにより、水分を吸い上げて鉢植えの土壌及び植物の根部に連続的に補充することができる。【選択図】図１
2019506903.tif 000002
【特許請求の範囲】
【請求項１】
水を溜めるための収容槽を含む水受け皿と、
積層設置された複数の中空サブユニットを含み、前記複数の中空サブユニット内に土壌を収容し、各中空サブユニットがその両端に位置する上縁部及び下縁部を含み、隣接した中空サブユニットのうち上層に位置する中空サブユニットの下縁部が、下層に位置する中空サブユニットの上縁部よりも低く、かつ該上層の中空サブユニットの下縁部が、該下層の中空サブユニットの上縁部よりも前記植木鉢本体の中心線に近接することにより、両者の間に隙間を形成する植木鉢本体と、
微孔性吸水材料からなり、かつ透水板と、前記透水板から下向きに延出する吸水柱とを含み、前記土壌が前記透水板に接触し、かつ前記吸水柱が下向きに前記収容槽内に延びる底板と、を備えることを特徴とする、通気植木鉢。
【請求項２】
前記中空サブユニットは、中空円筒状であり、前記複数の中空サブユニットの外径は、前記水受け皿に近接する側から前記水受け皿から離れる方向に徐々に小さくなることを特徴とする、請求項１に記載の通気植木鉢。
【請求項３】
前記中空サブユニットは、中空円筒状であり、前記複数の中空サブユニットの外径は、同じであることを特徴とする、請求項１に記載の通気植木鉢。
【請求項４】
前記中空サブユニットの外形は、逆円錐台形状であることを特徴とする、請求項１に記載の通気植木鉢。
【請求項５】
前記複数の中空サブユニット同士は、スナップフィット又はネジによって互いに締結されるか、又は一体的に成形されることを特徴とする、請求項２〜４のいずれか一項に記載の通気植木鉢。
【請求項６】
前記水受け皿に最も近接する前記中空サブユニットの下縁部には突起が設置され、前記水受け皿の内縁部には、前記突起と適応し、かつ互いに貫通するガイド溝と内凹溝が設置されることを特徴とする、請求項１に記載の通気植木鉢。
【請求項７】
前記微孔性吸水材料は、微孔性プラスチック、微孔性セラミックス、微孔性サンドベースの材料を含むことを特徴とする、請求項１に記載の通気植木鉢。
【請求項８】
前記受け皿は、透明材料で製造されることを特徴とする、請求項１に記載の通気植木鉢。
【請求項９】
前記受け皿は、ガラス又は透明プラスチックで製造されることを特徴とする、請求項８に記載の通気植木鉢。
【請求項１０】
前記受け皿は、その側縁部から延出する２つの取っ手をさらに備えることを特徴とする、請求項１に記載の通気植木鉢。
【発明の詳細な説明】
【技術分野】
【０００１】
本発明は、植木鉢に関し、特に、鉢植えの根部を浸水せず、かつ水不足が起こらないように保持できる通気植木鉢に関する。
【背景技術】
【０００２】
近年、大気汚染が深刻化するにつれて、居住空間の空気質に対する人々の要求はますます高くなる。
【０００３】
研究によると、室内の空気汚染物質は、主に、ベンゼン、ホルムアルデヒド、フタル酸塩、トリクロロエチレン、トルエン及びアンモニアの六種類を含む。現在、中国国内の民間建築基準において、室内のホルムアルデヒドの含有量が０．０８ｍｇ／ｍ３を超えてはならず、ベンゼンの含有量が０．０９ｍｇ／ｍ３を超えてはならず、アンモニアの含有量が０．２ｍｇ／ｍ３を超えてはならない。
【０００４】
空気質を改善するために、人々は、例えば、サンセベリア、モンステラ、スパティフィラム、アオドラセナ、ベンジャミン、オリヅルラン、ポトス、オウゴンカズラ、アジアンタム、アグラオネマなどの様々な植物を室内に搬入し、それらを植木鉢に植えて、室内を装飾する。研究によると、これらの植物は、室内の空気汚染物質に対する吸収能力が高く、例えば、ポトスは、ベンゼン、トリクロロエチレン、ホルムアルデヒドなどを吸収することができる。
【０００５】
しかしながら、本発明者は、湿った鉢植えの土壌が空気中のホルムアルデヒドなどの汚染ガスを吸収することができるため、鉢植えの土壌の良好な通気性を保持しかつ一定の湿度を保持することが、室内の空気汚染物質に対する吸収に重要な役割を果たすことを発見したが、現在の植木鉢は、土壌に通気性を備えさせるとともに一定の湿度条件を維持させることが困難であり、余剰な水を注いで根部を浸水させたり、水注ぎを忘れて植物の枯れをもたらしたりし、非常に不便である。
【発明の概要】
【発明が解決しようとする課題】
【０００６】
これに鑑み、鉢植えの根部を浸水せず、かつ水不足が起こらないように保持できる通気植木鉢を提供する必要がある。
【課題を解決するための手段】
【０００７】
通気植木鉢は、水受け皿と、植木鉢本体と、底板とを備える。前記水受け皿は、水を溜めるための収容槽を含み、前記植木鉢本体は、積層された複数の中空サブユニットを含み、前記複数の中空サブユニット内に土壌を収容し、各中空サブユニットは、その両端に位置する上縁部及び下縁部を含み、隣接した中空サブユニットのうち上層に位置する中空サブユニットの下縁部は、下層に位置する中空サブユニットの上縁部よりも低く、かつ該上層の中空サブユニットの下縁部は、該下層の中空サブユニットの上縁部よりも前記植木鉢本体の中心線に近接することにより、両者の間に隙間を形成し、前記底板は、微孔性吸水材料からなり、かつ前記底板は、透水板と、前記透水板から下向きに延出する吸水柱とを含み、前記土壌は、前記透水板に接触し、かつ前記吸水柱は、下向きに前記収容槽内に延びる。
【発明の効果】
【０００８】
従来技術と比較して、本発明の実施例に係る通気植木鉢において、一方では、隣接した中空サブユニットのうち上層に位置する中空サブユニットの下縁部は、下層に位置する中空サブユニットの上縁部よりも低く、上下層の中空サブユニットの間に隙間を形成できるだけでなく、鉢植えの植物に水を注ぐ時に水が隙間から流出しないことを保証することができ、水が上層の中空サブユニット（及びその内部の土壌）から次の中空サブユニット（及びその内部の土壌）に流れ、最後に収容槽内に流入し、鉢植えの植物の根部浸水の発生を防止し、かつ各層の縁部土壌と空気との接触を増加させ、すなわち各層の土壌の通気性を増加させることができ、他方では、透水板が土壌（及び植物の根部）に接触し、吸水柱が水受け皿内の溜まり水に入り込むことにより、溜まり水を吸い上げて鉢植えの土壌及び植物の根部に水分を補充して、植物の乾燥による枯れを防止することができる。湿った鉢植えの土壌が空気中のホルムアルデヒドなどの汚染ガスを吸着することにより、植物のガス状汚染物質に対する吸収を最大効率で向上させ、環境の空気質を改善することができる。
【図面の簡単な説明】
【０００９】
本発明の技術手段をより明確に説明するために、以下、実施例に用いられる必要がある図面を簡単に説明し、明らかに、以下の説明における図面は本発明のいくつかの実施例に過ぎず、当業者にとって、創造的な労働をしない前提で、これらの図面に基づいて他の図面を得ることができる。
【００１０】
【図１】本発明の第１の実施例に係る通気植木鉢の分解構造及び第１の方向からの概略図である。
【図２】図１に示す通気植木鉢の第２の方向からの概略構成図である。
【図３】図１に示す通気植木鉢の組立構造概略図である。
【図４】図３に示す通気植木鉢の概略断面図である。
【図５】図３に示す通気植木鉢の内部に配置された土壌及びその動作原理の概略図である。
【図６】図１に示す通気植木鉢の変形実施形態の概略構成図である。
【図７】本発明の第２の実施例に係る通気植木鉢の分解構造概略図である。
【図８】図７に示す通気植木鉢の組立構造概略図である。
【図９】図７に示す通気植木鉢の水受け皿の概略構成図である。
【発明を実施するための形態】
【００１１】
以下、本発明の実施形態の添付図面を併せて、本発明の実施形態における技術案を明瞭かつ完全に説明する。
【００１２】
図１〜図４を参照すると、本発明の第１の実施例は、水受け皿１０と、植木鉢本体３０と、底板５０とを備える通気植木鉢１００を提供する。
【００１３】
前記水受け皿１０は、円盤状であり、水を溜めるための収容槽１０Ａを含む。本実施例において、前記水受け皿１０は側縁部から延出する左右２つの取っ手１０Ｂをさらに含むことにより、取っ手１０Ｂを手で把持して植木鉢１００を窓台、ベランダなどの異なる位置に移動させて配置することを容易にする。前記取っ手１０Ｂには、さらに滑り止め用の粗面が設置されている。本実施例において、前記水受け皿１０は、ガラスなどの透明材料で製造されることにより、使用者がその内部の溜まり水を観察して給水操作を行うか否かを判断しやすく、植物の枯れを防止することができる。他の変形実施形態において、前記水受け皿１０は、他の材料、例えばポリメタクリル酸メチル（アクリル）などの透明プラスチックで製造されてもよく、かつ他の形状、例えば中空円筒状、円錐台形状などであってもよく、具体的な実施例に限定されるものではない。
【００１４】
さらに図４を参照すると、前記植木鉢本体３０は、土壌及び植物の根部を収容するためのものであり、本実施例において、前記植木鉢本体３０の外径は、水受け皿１０に近接する側から水受け皿１０から離れる方向に徐々に小さくなる。具体的には、前記植木鉢本体３０は、外径が徐々に小から大になる複数の中空サブユニット３２を含み、かつ前記植木鉢本体３０は、複数の該中空サブユニット３２を積層して構成される。各中空サブユニット３２は、中空円筒状であり、各中空サブユニット３２は、その両端に位置する上縁部３２０及び下縁部３２２を含み、前記上縁部３２０は、前記中空サブユニット３２の頂部に接近し、前記下縁部３２２は、前記中空サブユニット３２の底部に接近し、その上縁部３２０の内側と下縁部３２２の外側に接続構造が設置され、上層に位置する中空サブユニット３２の下縁部３２２は、下層に位置する中空サブユニット３２の上縁部３２０と一体的に成形して接続される。
【００１５】
図４に示すように、隣接した中空サブユニット３２のうち上層に位置する中空サブユニット３２の下縁部３２２は、下層に位置する中空サブユニット３２の上縁部３２０よりも低く、かつ該上層の中空サブユニット３２の下縁部３２２は、該下層の中空サブユニット３２の上縁部３２０よりも前記植木鉢本体３０の中心線Ｍに近接することにより、両者の間に隙間３２Ａを形成する。このようにして、最上層の中空サブユニット３２内の土壌に水を注ぐと、水は、隙間３２Ａから流出せずに、上層の中空サブユニット３２（及びその内部の土壌）から次の中空サブユニット３２（及びその内部の土壌）に流れ、最後に前記水受け皿１０内に流入し（図４及び図５参照）、鉢植えの植物の根部浸水の発生を防止し、かつ各層の縁部土壌と空気との接触を増加させ、すなわち各層の土壌の通気性を増加させることができる。
【００１６】
説明すべきこととして、最下層に位置する中空サブユニットの下縁部３２２と水受け皿１０の内縁部の大きさは、その両者が適応できればよく、この両者の間には、組立及び分解を実現するために、スナップフィット構造又はねじとねじ穴を設置してもよい。
【００１７】
本実施例において、図１に示すように、最下層の、つまり前記水受け皿１０に最も近接する中空サブユニット３２の下縁部３２２に４つの突起３２５が設置され、これに対応して、水受け皿１０の内縁部にそれと適応する４つのガイド溝１２及び１つの円環状の内凹溝１４が設置され、４つのガイド溝１２が前記円環状の内凹溝１４と貫通し、取付時に、４つの突起３２５が前記円環状の内凹溝１４に滑り込むように、前記４つの突起３２５を前記ガイド溝１２に導入した後に該水受け皿１０と該植木鉢本体３０を相対回転させることにより、水受け皿１０と植木鉢本体３０との接続を実現する。
【００１８】
他の変形実施形態において、図６に示すように、前記植木鉢本体３０は、他の形態であってもよく、その１つは、中空円筒状の一体構造に製造され、同様に中空サブユニット３２を積層して構成されるが、各中空サブユニット３２の大きさが同じである。
【００１９】
また、例えば、本実施例で示された複数の中空サブユニット３２を積層して構成された植木鉢本体３０において、隣接した中空サブユニット３２の間の接続方式は、一体構造に限定されず、スナップフィット又はネジ締結の方式などであってもよく、具体的な実施例に限定されない。
【００２０】
本実施例において、前記植木鉢本体３０は、プラスチックで製造され、当然のことながら、他の材料、例えばセラミックなどを用いてもよく、具体的な実施例に限定されない。
【００２１】
図３及び図４に示すように、設置時に、前記土壌が前記透水板５１に接触し、かつ前記吸水柱５２が前記収容槽１０Ａ内に延びる。その１つの実施形態において、前記土壌は、その一部の重量が前記透水板５１に積載されてもよいと理解すべきである。
【００２２】
具体的には、前記底板５０は、微孔性吸水材料、例えば微孔性プラスチック、微孔性セラミックス、微孔性サンドベースの材料などを用いて製造される。
【００２３】
図５に示すように、使用時に、一方では、防水通気植木鉢本体３０は、通気性を有するとともに水を注ぐ時にオーバーフローを防止することができ、鉢植えの植物に水を注ぐ時に、水は、隙間３２Ａから流出せずに、上層の中空サブユニット３２（及びその内部の土壌）から次の中空サブユニット３２（及びその内部の土壌）に流れ、最後に前記水受け皿１０内に流入し（図４及び図５を参照する）、鉢植えの植物の根部浸水の発生を防止し、かつ各層の縁部土壌と空気との接触を増加させ、すなわち各層の土壌の通気性を増加させることができる。より重要なのは、この時の吸水柱５２は、下から上へ（図５に示す方向Ｓ参照）水分を吸い取ることにより、鉢植えの土壌と植物の根部に水分を補充して、植物の乾燥による枯れを防止することである。湿った鉢植えの土壌が空気中のホルムアルデヒドなどの汚染ガスを吸着することにより、植物のガス状汚染物質に対する吸収を最大効率で向上させるという目的を達成することができる。
【００２４】
また、本実施例において、前記水受け皿１０は、ガラスなどの透明材料で製造されることにより、使用者がその内部の溜まり水を観察して給水操作を行うか否かを判断しやすく、さらに植物の枯れを防止することができる。
【００２５】
図７及び図８を参照すると、本発明の第２の実施例は、水受け皿２１０と、植木鉢本体２３０と、底板（図示せず）とを備える通気植木鉢２００を提供する。
【００２６】
前記通気植木鉢２００は、第１の実施形態に係る通気植木鉢１００と構造が類似しているが、各中空サブユニット２３２の外形が逆円錐台形状に製造され、かつそれらを互いに積層して前記植木鉢本体２３０を構成し、隣接した中空サブユニット２３２同士が補強リブ２７０によって構造の一体的な接続を実現するという点で相違する。植木鉢本体２３０は、複数の中空サブユニット２３３をスナップフィット又はネジによって締結して構成され、全体として円筒状の外形を有する。
【００２７】
また、図７に示すように、最下層の、つまり水受け皿２１０に最も近接する中空サブユニット２３２の下縁部に４つの突起２３２５が設置され、これに対応して、水受け皿１０の内縁部にそれと適応する４つのガイド溝２１２及び４つの内凹溝２１４が設置され（詳細は図９参照）、４つのガイド溝２１２が前記内凹溝２１４と貫通し、図８に示すように、取付時に、４つの突起２３２５が前記内凹溝２１４に滑り込むように、前記４つの突起２３２５を前記ガイド溝２１２に導入した後に該水受け皿２１０と該植木鉢本体２３０を相対回転させることにより、水受け皿２１０と植木鉢本体２３０との接続を実現する。
【００２８】
本実施例において、防水通気植木鉢本体２３０は、通気性を有するとともに水を注ぐ時にオーバーフローを防止することができ、鉢植えの植物に水を注ぐ時に、水は、二層の隙間から流出せずに、上層の中空サブユニット２３２（及びその内部の土壌）から次の中空サブユニット２３２（及びその内部の土壌）に流れ、最後に前記水受け皿２１０内に流入し、鉢植えの植物の根部浸水の発生を防止し、かつ各層の縁部土壌と空気との接触を増加させ、すなわち各層の土壌の通気性を増加させることができる。
【００２９】
上述したのは、本発明の好ましい実施形態であり、注意すべきこととして、当業者にとって、本発明の原理から逸脱しない前提で、さらにいくつかの改良及び修正を行うことができ、これらの改良及び修正も本発明の保護範囲とみなす。
【図１】
2019506903.tif 000003
【図２】
2019506903.tif 000004
【図３】
2019506903.tif 000005
【図４】
2019506903.tif 000006
【図５】
2019506903.tif 000007
【図６】
2019506903.tif 000008
【図７】
2019506903.tif 000009
【図８】
2019506903.tif 000010
【図９】
2019506903.tif 000011
【国際調査報告】
2019506903.tif 000012
2019506903.tif 000013
2019506903.tif 000014
2019506903.tif 000015